(57)【特許請求の範囲】
【請求項１】
スキャナで画情報の読み取りを行なうファクシミリ装置とコンピュータ装置とを接続してなるスキャナシステムであって、
上記ファクシミリ装置は、
上記スキャナで読み取った画情報の副走査方向の密度変換を行なう副走査変倍手段と、該副走査変倍手段で副走査方向が密度変換された画情報を上記コンピュータ装置に送出するインタフェース手段とを有し、
上記コンピュータ装置は、
上記ファクシミリ装置から上記インタフェース手段を介して送出されてきた上記副走査方向が密度変換された画情報を入力するスキャナドライバ手段と、該スキャナドライバ手段で入力した上記画情報の主走査方向の密度変換を行なう主走査変倍手段とを有し、
上記ファクシミリ装置のスキャナで読み取った画情報の密度変換を、副走査方向はファクシミリ装置で、主走査方向はコンピュータ装置で行なうことを特徴とするスキャナシステム。
【請求項２】
請求項１に記載のスキャナシステムにおいて、
上記ファクシミリ装置の副走査変倍手段は、上記原稿の副走査に用いるモータの回転速度を制御する手段を有し、上記モータの回転速度を変えて上記画情報の副走査方向の密度変換を行なうことを特徴とするスキャナシステム。
【請求項３】
請求項１、もしくは、請求項２のいずれかに記載のスキャナシステムにおいて、上記ファクシミリ装置は、上記密度変換がスキャナのセンサ密度に対して縮小変換であるか否かを判別する判別手段と、縮小変換の場合、上記スキャナで読み取った画情報の主走査方向の密度変換を行なう主走査縮小手段とを有することを特徴とするスキャナシステム。
【請求項４】
請求項１から請求項３のいずれかに記載のスキャナシステムにおいて、上記ファクシミリ装置は、上記密度変換した画情報をＮ値化処理するＮ値化処理手段を有することを特徴とするスキャナシステム。
【請求項５】
請求項１から請求項４のいずれかに記載のスキャナシステムにおいて、上記コンピュータ装置の主走査変倍手段は、上記画情報の主走査方向の密度変換を行なうソフトウェアプログラムを有することを特徴とするスキャナシステム。
【請求項６】
回線を介して画情報の送受信を行なうと共に、ＳＣＳＩやＲＳ２３２Ｃ等のインタフェースを介して接続されたコンピュータ装置との間での上記画情報の送受信を行なうファクシミリ装置において、
スキャナで読み取った画情報の副走査方向の密度変換を行なう副走査変倍手段と、該副走査変倍手段で副走査方向を密度変換した画情報を、該画情報の主走査方向での密度変換を行なう上記コンピュータ装置に上記インタフェースを介して送出する手段とを有することを特徴とするファクシミリ装置。
【請求項７】
請求項６に記載のファクシミリ装置において、上記副走査変倍手段は、上記原稿の副走査に用いるモータの回転速度を制御する手段を有し、上記モータの回転速度を変えて上記画情報の副走査方向の密度変換を行なうことを特徴とするファクシミリ装置。
【請求項８】
請求項６、もしくは、請求項７のいずれかに記載のファクシミリ装置において、上記密度変換がスキャナのセンサ密度に対して縮小変換であるか否かを判別する判別手段と、縮小変換の場合、上記スキャナで読み取った画情報の主走査方向の密度変換を行なう主走査縮小手段とを有することを特徴とするファクシミリ装置。
【請求項９】
請求項６から請求項８のいずれかに記載のファクシミリ装置において、上記密度変換した画情報をＮ値化処理するＮ値化処理手段を有することを特徴とするスキャナシステム。
【請求項１０】
ファクシミリ装置にＳＣＳＩやＲＳ２３２Ｃ等のインタフェースを介して接続され、上記ファクシミリ装置との間で、該ファクシミリ装置がスキャナで読み取った画情報の送受信を行なうコンピュータ装置において、
上記ファクシミリ装置で副走査方向の密度変換がなされた画情報を入力するスキャナドライバ手段と、該スキャナドライバ手段で入力した上記画情報の主走査方向の密度変換を行なう主走査変倍手段とを有することを特徴とするコンピュータ装置。
【請求項１１】
請求項１０に記載のコンピュータ装置において、上記主走査変倍手段は、上記画情報の主走査方向の密度変換を行なうソフトウェアプログラムを有することを特徴とするコンピュータ装置。
【発明の詳細な説明】
【０００１】
【発明の属する技術分野】
本発明は、ファクシミリ装置とパーソナルコンピュータ等のコンピュータ装置とを接続して、ファクシミリ装置のスキャナにより画情報の入力を行なうスキャナシステムに係わり、特に、ファクシミリ装置のスキャナで読み取った画情報の密度変換を効率的に行なうのに好適なスキャナシステムおよびそれに用いるファクシミリ装置とコンピュータ装置に関するものである。
【０００２】
【従来の技術】
ファクシミリ装置では、中間調画像の表現のために、誤差拡散法や、例えば、窪田啓次郎著「ファクシミリと新画像通信」（１９８３年、産報出版）の第８７〜９７頁に記載のディザ法などのＮ値化処理を行なっている。このＮ値化処理に使用するラインバッファは、スキャナのセンサ密度に応じた画素数分が必要である。
【０００３】
例えば、センサ密度が、Ａ４サイズで２００ｄｐｉ（ドット・パー・インチ）のファクシミリ装置では、主走査画素数は１７２８画素であり、センサ密度がＡ４サイズで３００ｄｐｉのファクシミリ装置では、主走査画素数は約２６００画素となる。
従って、センサ密度がＡ４サイズで２００ｄｐｉであれば、ラインバッファは１７２８画素分で良い。
【０００４】
しかし、ファクシミリ装置においては、スキャナで読み込んだ画情報の密度変換を行なう場合がある。例えば、センサ密度がＡ４サイズで２００ｄｐｉのファクシミリ装置において、３００ｄｐｉへの密度変換を行なう場合、その主走査方向の変換に伴い、主走査画素数は約２６００画素となり、Ｎ値化処理に使用するラインバッファも同様約２６００画素分必要となる。
このようなラインバッファの増加はラインバッファおよびファクシミリ装置のコストアップとなる。
【０００５】
【発明が解決しようとする課題】
解決しようとする問題点は、従来の技術では、例えば２００ｄｐｉのセンサ密度に対応したラインバッファを有するファクシミリ装置では、３００ｄｐｉへ密度変換（拡大）することができない点である。
本発明の目的は、これら従来技術の課題を解決し、ファクシミリ装置のコストをアップさせることなく、このファクシミリ装置のラインバッファのサイズを超えた密度での画情報の処理を可能とするスキャナシステムおよびそれに用いるファクシミリ装置とコンピュータ装置を提供することである。
【０００６】
【課題を解決するための手段】
上記目的を達成するため、本発明のスキャナシステムおよびそれに用いるファクシミリ装置とコンピュータ装置は、ファクシミリ装置において、スキャナで読み取った画情報の副走査方向の密度変換を、原稿搬送用のモータの速度制御等により行ない、この副走査方向の密度変換された画情報を、ＳＣＳＩ（Ｓｍａｌｌ  Ｃｏｍｐｕｔｅｒ  Ｓｙｓｔｅｍｓ  Ｉｎｔｅｒｆａｃｅ）やＲＳ２３２Ｃ等のインタフェースを介してコンピュータ装置に送出し、このコンピュータ装置において、ファクシミリ装置からの画情報の主走査方向の密度変換を行なう。このように、ファクシミリ装置のスキャナで読み取った画情報の密度変換を、副走査方向はファクシミリ装置で、主走査方向はコンピュータ装置で行なうので、ファクシミリ装置側のラインバッファのサイズを超えての拡大変換を行なうことができる。
【０００７】
尚、密度変換がスキャナのセンサ密度に対して縮小する変換（縮小変換）であれば、主走査方向の密度変換もファクシミリ装置側で行なう。
また、ファクシミリ装置側では、画情報の副走査方向および主走査方向の密度変換をＮ値化処理の前段で行ない、良好なＮ値化画像が得られるようにする。
また、コンピュータ装置では、主走査方向の密度変換（拡大変換）を、画素データの２度書き処理等、ソフトウェアプログラムでの処理により行なうので、コンピュータ装置におけるコストアップも少なく押さえることができる。
【０００８】
【発明の実施の形態】
以下、本発明の実施の形態を、図面により詳細に説明する。
図１は、本発明のスキャナシステムおよびそれに用いるファクシミリ装置とコンピュータ装置の本発明に係る構成の一実施例を示すブロック図である。
【０００９】
図１において、１はファクシミリ装置（図中、「ＦＡＸ」と記載）、２はＣＰＵ（Ｃｅｎｔｒａｌ  Ｐｒｏｃｅｓｓｉｎｇ  Ｕｎｉｔ）とＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）等を具備して蓄積プログラム方式によるコンピュータ処理を行なう情報処理装置、３はＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等からなる表示装置、４はキーボードやマウス等からなる入力装置、５はＨＤＤ（Ｈａｒｄ  Ｄｉｓｋ  Ｄｒｉｖｅ  ｕｎｉｔ）等からなる外部記憶装置であり、情報処理装置２、表示装置３、入力装置４、外部記憶装置５により本発明に係わるコンピュータ装置、例えばパーソナルコンピュータが構成される。
【００１０】
ファクシミリ装置１は、副走査変倍部１ａ、読取部１ｂ、Ｎ値化部１ｃ、通信部１ｄ、スキャナインタフェース部（図中、「スキャナＩ／Ｆ部」と記載）１ｅ、ＦＡＸ記憶部１ｆ、ＦＡＸ制御部１ｇ、主走査縮小部１ｈ、印字部１ｉ、走査表示部１ｊを有する。
【００１１】
読取部１ｂは、ＣＣＤ（Ｃｈａｒｇｅ  Ｃｏｕｐｌｅｄ  Ｄｅｖｉｃｅ）イメージセンサや密着型イメージセンサ（ＣＩＳ；Ｃｏｎｔａｃｔ−ｔｙｐｅ  Ｉｍａｇｅ  Ｓｅｎｓｏｒ）と、Ａ／Ｄ（アナログ／ディジタル）変換回路等を備え、原稿を読み取り多値データ（画情報）を出力するスキャナである。
副走査変倍部１ａは、読取部１ｂでの原稿搬送に用いるモータを制御して、副走査量を変化させることで、読取部１ｂで読み取る多値データの副走査方向の変倍（拡大／縮小）処理を行なう。
【００１２】
Ｎ値化部１ｃは、読取部１ｂで読み取った多値データに、スレッシュ処理や誤差拡散処理等を行ない、Ｎ値データを生成する。
通信部１ｄは、モデムや網制御装置等からなり、電話回線等を介して相手先装置とのファクシミリ通信を行なう。
スキャナインタフェース部１ｅは、ＳＣＳＩやＲＳ２３２Ｃなどにより情報処理装置２との接続制御を行なう。
【００１３】
ＦＡＸ制御部１ｆは、ＣＰＵ等からなり、ファクシミリ装置１の全体動作の処理制御を行なう。例えば、変換する密度とセンサ密度とを比較して、変換密度がセンサ密度より低い、すなわち、密度変換が縮小変換であると判別すると、主走査縮小部１ｈを起動する等の制御を行なう。
ＦＡＸ記憶部１ｇは、ＲＯＭやＲＡＭ等からなり、ＦＡＸ制御部１ｆの動作プログラムや制御データ、および、画情報を記憶する。
【００１４】
主走査縮小部１ｈは、縮小変換を判別したＦＡＸ制御部１ｆにより起動され、画素データの間引き処理等を行ない、読取部１ｂで読み取った多値データを主走査方向に縮小する。
印字部１ｉは、レーザプリンタ等からなり、受信した画情報の印字出力を行なう。
操作表示部１ｊは、ワンタッチキーやテンキーおよびＬＣＤ等からなり、ユーザからの指示入力およびユーザへの操作案内表示等を行なう。
【００１５】
情報処理装置２は、ＰＣ制御部２ａ、ＰＣ記憶部２ｂ、入出力制御部２ｃ、スキャナドライバ部２ｄ、主走査変倍部２ｅを有する。
ＰＣ制御部２ａは、ＣＰＵ等からなり、情報処理装置２、表示装置３、入力装置４、外部記憶装置５からなるコンピュータ装置としての全体動作の処理制御を行なう。
【００１６】
ＰＣ記憶部２ｂは、ＲＯＭやＲＡＭ等からなり、ＰＣ制御部２ａの動作プログラムや制御データ等を記憶する。
入出力制御部２ｃは、表示装置３、入力装置４、外部記憶装置５等の周辺装置の接続制御を行なう。
スキャナドライブ部２ｄは、ドライバソフトであり、ファクシミリ装置１のスキャナインタフェース部１ｅを介してファクシミリ装置１との画情報の送受信を行なう。
【００１７】
主走査変倍部２ｅは、スキャナドライブ部２ｄに組み込まれたソフトであり、画素データの間引き処理等によるファクシミリ装置１から受信した多値データの主走査方向の縮小処理や、画素データの２度書き処理等による主走査方向の拡大処理を行なう。
尚、スキャナドライブ部２ｄでファクシミリ装置１から受信した多値データは、一旦、外部記憶装置５に記憶され、処理毎にＰＣ記憶部２ｂに読み出され、主走査変倍部２ｅにより変倍処理される。
【００１８】
以下、図２を用いて、このような構成のコンピュータ装置とファクシミリ装置１からなるスキャナシステムの処理動作を説明する。
図２は、図１におけるスキャナシステムの本発明に係る処理動作例を示すフローチャートである。
【００１９】
本例では、図１のファクシミリ装置１における読取部１ｂのセンサ密度を２００ｄｐｉとしている。
まず、コンピュータ装置側（図中、「ＰＣ側」と記載）において、密度や読み取りサイズ等のスキャンモードを設定し、スキャナインタフェース部１ｅを介して、ファクシミリ装置１におけるＦＡＸ制御部１ｇと副走査変倍部１ａに読取制御パラメータを設定する（ステップ２０１）。
【００２０】
設定密度をＸｄｐｉとすると、ファクシミリ装置１では、副走査変倍部１ａにおいて副走査の走査量をＸｄｐｉに制御して、読取部１ｂで原稿の読み取りを行ない、２００×Ｘｄｐｉの多値データを生成する（ステップ２０２）。
そして、設定密度のＸｄｐｉが、センサ密度の２００ｄｐｉ以上か否かを確認する（ステップ２０３）。
【００２１】
Ｘ＜２００の場合は、主走査縮小部１ｈにより主走査方向の密度変換を行ない、Ｘ×Ｘｄｐｉの多値画像に変換する（ステップ２０４）。Ｘ≧２００であればこの多値画像に対する主走査方向の密度変換は行なわない。
その後、この多値画像（２００×Ｘｄｐｉ、または、Ｘ×Ｘｄｐｉ）をＮ値化部１ｃにおいてＮ値化画像に変換し（ステップ２０５）、２００×Ｘｄｐｉ、または、Ｘ×ＸｄｐｉのＮ値化画像をスキャナインタフェース部１ｅよりコンピュータ装置側の情報処理装置２に転送する（ステップ２０６）。
【００２２】
コンピュータ装置側の情報処理装置２では、スキャナドライバ部２ｄにより、ファクシミリ装置１のスキャナインタフェース部１ｅからの２００×Ｘｄｐｉ、または、Ｘ×ＸｄｐｉのＮ値化画像を入力する（ステップ２０７）。
そして、まず、設定密度のＸｄｐｉがセンサ密度の２００ｄｐｉ以上か否かを判別する（ステップ２０８）。
【００２３】
Ｘ＜２００の場合は何もせず、また、Ｘ≧２００であれば、主走査変倍部２ｅにおいて、２００×ＸｄｐｉのＮ値化画像をＸ×ＸｄｐｉのＮ値化画像に変換して（ステップ２０９）、ＴＩＦ等の画像フォーマットで外部記憶装置５に保存する（ステップ２１０）。
【００２４】
以上、図１および図２を用いて説明したように、本例のスキャナシステムおよびそれに用いるファクシミリ装置とコンピュータ装置では、ファクシミリ装置１において、読取部１ｂ（スキャナ）で読み取った画情報の副走査方向の密度変換を、副走査変倍部１ａにより、原稿を搬送するモータの速度を制御して行ない、この副走査方向の密度変換された画情報を、ＳＣＳＩ（Ｓｍａｌｌ  Ｃｏｍｐｕｔｅｒ  Ｓｙｓｔｅｍｓ  Ｉｎｔｅｒｆａｃｅ）やＲＳ２３２Ｃ等のインタフェース（スキャナインタフェース部１ｅ）を介してコンピュータ装置（情報処理装置２）に送出する。
【００２５】
そして、このコンピュータ装置において、主走査変倍部２ｅにより、ファクシミリ装置１から受信した画情報の主走査方向の密度変換を行なう。このように、ファクシミリ装置１側で読み取った画情報の密度変換を、副走査方向はファクシミリ装置１で、主走査方向はコンピュータ装置（情報処理装置３）で行なうので、ファクシミリ装置１側のラインバッファのサイズを超えての拡大変換を行なうことができる。
【００２６】
尚、密度変換が、ファクシミリ装置１のスキャナのセンサ密度に対して縮小する変換（縮小変換）であれば、主走査方向の密度変換もファクシミリ装置１側で行なう。
また、ファクシミリ装置１側では、画情報の副走査方向および主走査方向の密度変換をＮ値化処理の前段で行なう。これにより、良好なＮ値化画像を得ることができる。
【００２７】
また、コンピュータ装置側（情報処理装置２）における主走査変倍部２ｅでは、主走査方向の密度変換（拡大変換）を、画素データの２度書き処理等、ソフトウェアプログラムでの処理により行なうので、コンピュータ装置におけるコストアップも少なく押さえることができる。
【００２８】
尚、本発明は、図１および図２を用いて説明した例に限定されるものではなく、その要旨を逸脱しない範囲において種々変更可能である。例えば、本例では、原稿を移動させて画情報の読み取りを行なう構成のファクシミリ装置としており、原稿を移動させるモータを制御することにより、すなわち、原稿の搬送速度を変化させることにより、ファクシミリ装置１における副走査方向の密度変換を行なっているが、原稿を移動させず、光学系を移動させて画情報の読み取りを行なう構成のファクシミリ装置の場合は、光学系を移動させるモータを制御する構成となる。
【００２９】
【発明の効果】
本発明によれば、ファクシミリ装置およびコンピュータ装置のコストをアップさせることなく、このファクシミリ装置のラインバッファのサイズを超えた密度での画像の処理ができ、また、良好なＮ値化画像を得ることができ、ファクシミリ装置で読み取った画情報の処理を行なうシステムの高性能化を図ることが可能である。
【図面の簡単な説明】
【図１】本発明のスキャナシステムおよびそれに用いるファクシミリ装置とコンピュータ装置の本発明に係る構成の一実施例を示すブロック図である。
【図２】図１におけるスキャナシステムの本発明に係る処理動作例を示すフローチャートである。
【符号の説明】
１：ファクシミリ装置（ＦＡＸ）、１ａ：副走査変倍部、１ｂ：読取部、１ｃ：Ｎ値化部、１ｄ：通信部、１ｅ：、スキャナインタフェース部（スキャナＩ／Ｆ部）、１ｆ：ＦＡＸ記憶部、１ｇ：ＦＡＸ制御部、１ｈ：主走査縮小部、１ｉ：印字部、１ｊ：操作表示部、２：情報処理装置、２ａ：ＰＣ制御部、２ｂ：ＰＣ記憶部、２ｃ：入出力制御部、２ｄ：スキャナドライバ部、２ｅ：主走査変倍部、３：表示装置、４：入力装置、５：外部記憶装置。
【図１】
0003620699.tif 000002
【図２】
0003620699.tif 000003